(57)【要約】【課題】シート材であるが丈夫で、両面座ることのできる組立式椅子を提供すること。【解決手段】シート材を型抜きして作られる型紙１により組み立てられる三角柱状の組立式椅子４０であって、周壁部を形成する３枚以上の周壁片２と、周壁片２の連接方向に平行な上辺に連接される座面片５と、周壁片２の下辺に連接される底面片６と、座面片５の外側斜辺に連接される嵌合片７と、底面片６の外側斜辺に連接される嵌合片８と、周壁片２の連接する方向の両端側に連接される第１の支持片、第２の支持片及び第３の支持片とから構成され、各連接部分において折り曲げることにより、丈夫なモノコック構造であり、両面座ることのできる組立式椅子４０を形成することができる。【選択図】  図１
2004223068.tif 000002
【特許請求の範囲】
【請求項１】
一枚のシート材を折り曲げて三角柱以上の角柱に組立可能な椅子であって、
組立時に周壁となる方形状の周壁片が横一列に三枚以上連接されて構成された周壁部と、
前記周壁片の各上辺に各々連接され、折り曲げられて、椅子の座面となる三角形の座面片と、
前記周壁片の各下辺に各々連接され、折り曲げられて、椅子の底面となる三角形の底面片と、
当該座面片及び当該底面片の各斜辺に各々連接され、先端部に向かって幅が狭くなるように形成され、組立時に椅子の内側に折り曲げられる嵌合片と、
当該嵌合片の各先端部に設けられた嵌合溝と、
前記周壁部の前記周壁片の連接方向の両端部に各々連接された第一の支持片と、
当該第一の支持片の前記周壁部と連接する一端部と反対側の他端部に連接された第二の支持片と、
当該第二の支持片の前記第一の支持片と連接する一端部と反対側の他端部に連接された第三の支持片と
を備え、
前記第一の支持片、前記第二の支持片及び前記第三の支持片は、各連接部分で折り曲げられて椅子の内側に各々三角柱を形成し、
前記座面片の各斜辺から各々連接された前記嵌合片と前記底面片の各斜辺から各々連接された前記嵌合片とが互いに折り曲げられ、対向する各嵌合片の前記嵌合溝が互いに咬み合うことを特徴とする組立式椅子。
【請求項２】
椅子の内側に形成された前記各三角柱には、前記座面片の各斜辺から各々連接された前記嵌合片の前記嵌合溝と、前記底面片の各斜辺から各々連接された前記嵌合片の前記嵌合溝との嵌合部分が退避できる凹部が形成されていることを特徴とする請求項１に記載の組立式椅子。
【請求項３】
前記周壁部の両端部を形成する各前記周壁片において、前記第一の支持片に連接する一端部の近傍には留め具がそれぞれ設けられ、組立時に対向する当該留め具を紐等で縛ることにより、対向する前記周壁片が固定されることを特徴とする請求項１又は２に記載の組立式椅子。
【発明の詳細な説明】
【０００１】
【発明の属する技術分野】
本発明は、組立式椅子に関するものである。
【０００２】
【従来の技術】
従来、コンサート会場やイベント会場のような野外の会場においてイベントを開催する場合は、通常主催者側は来場者が座る席を確保するため、金属製の折り畳み式椅子を用意していた。しかし、金属製の折り畳み式椅子は、折り畳めること、また持ち運びに便利である反面、金属製のフレームで構成されているため、重量が重くなる等の理由から、最近では段ボールを折り曲げて三角柱以上の角柱からなる組立可能な椅子も開発され、利用されている（例えば、特許文献１参照）。段ボール製組立椅子は軽く持ち運びに便利で、場合によっては使い捨てもできるという利点がある。
【０００３】
【特許文献１】
特開平６−２３７８３２号公報
【０００４】
【発明が解決しようとする課題】
しかしながら、上記の段ボール製組立椅子においては、座面が片方のみにしか形成されておらず、直接地面と接触するのは地面に垂直に降り立った段ボールの端部のみであるため、椅子に重量が加わると不安定となり、損傷しやすい等の問題点があった。また、座面を構成する片の真下に柱を構成する片が垂直に組み合わさっているので、椅子にかかる外力が分散せず、座面と柱の組み合わせ部分に負荷が集中してかかるなど、椅子の構造に基づく問題点もあった。
【０００５】
本発明は、上述の課題を解決するためになされたものであり、シート材から組み立てられ、丈夫で、両面座ることのできる機能を備えた組立椅子を提供することを目的とする。
【０００６】
【課題を解決するための手段】
上記目的を達成するために、請求項１に記載の組立式椅子は一枚のシート材を折り曲げて三角柱以上の角柱に組立可能な椅子であって、一枚のシート材を折り曲げて三角柱以上の角柱に組立可能な椅子であって、組立時に周壁となる方形状の周壁片が横一列に三枚以上連接されて構成された周壁部と、前記周壁片の各上辺に各々連接され、折り曲げられて、椅子の座面となる三角形の座面片と、前記周壁片の各下辺に各々連接され、折り曲げられて、椅子の底面となる三角形の底面片と、当該座面片及び当該底面片の各斜辺に各々連接され、先端部に向かって幅が狭くなるように形成され、組立時に椅子の内側に折り曲げられる嵌合片と、当該嵌合片の各先端部に設けられた嵌合溝と、前記周壁部の前記周壁片の連接方向の両端部に各々連接された第一の支持片と、当該第一の支持片の前記周壁部と連接する一端部と反対側の他端部に連接された第二の支持片と、当該第二の支持片の前記第一の支持片と連接する一端部と反対側の他端部に連接された第三の支持片とを備え、前記第一の支持片、前記第二の支持片及び前記第三の支持片は、各連接部分で折り曲げられて椅子の内側に各々三角柱を形成し、前記座面片の各斜辺から各々連接された前記嵌合片と前記底面片の各斜辺から各々連接された前記嵌合片とが互いに折り曲げられ、対向する各嵌合片の前記嵌合溝が互いに咬み合うことを特徴とする構成となっている。
【０００７】
この構成の組立式椅子は、図１の型紙１を以下の順に折り曲げて組み立てられる。まず、第１の支持片３ａを折り曲げ線１８で谷折りし、さらに第２の支持片３ｂを折り曲げ線１７ａで谷折りする。その際に、図２に示すように辺３５ａ及び辺３５ｂが断裁された凹部片９ａの中央の折り曲げ線１７ｂを山折りに、折り曲げ線３６ａ及び３６ｂを谷折りし、図２及び図３に示す凹部４５を形成する。さらに第３の支持片３ｃを折り曲げ線１６で谷折りする。そこで、第３の支持片３ｃの面を周壁片２ａの面に当接させ、第１の支持片３ａと第２の支持片３ｂと第３の支持片３ｃとで三角柱を形成する。また、同様に、第１の支持片３ｄを折り曲げ線２０で谷折りし、さらに第２の支持片３ｅを折り曲げ線２１ａで谷折りする。その際に、辺３７ａ及び辺３７ｂが断裁された凹部片９ｂの中央の折り曲げ線２１ｂを山折りに、折り曲げ線３８ｃ及び３８ｄを谷折りし、図２及び図３に示す凹部４６を形成する。さらに第３の支持片３ｃを折り曲げ線２２で谷折りする。そこで、第３の支持片３ｆの面を周壁片２ｃの面に当接させ、第１の支持片３ｄと第２の支持片３ｅと第３の支持片３ｆとで三角柱を形成する。次に、座面片５ａ、５ｂ、５ｃを折り曲げ線１５ａで谷折りして座面を形成する。また、底面片６ａ、６ｂ及び６ｃを折り曲げ線１５ｂで谷折りして底面を形成する。さらに、嵌合片７ａ、７ｂ、７ｃ、７ｄ、７ｅ及び７ｆを折り曲げ線２３、２４、２５、２６、２７及び２８で谷折りする。また、嵌合片８ａ、８ｂ、８ｃ、８ｄ、８ｅ及び８ｆを折り曲げ線２９、３０、３１、３２、３３及び３４で谷折りする。その際に、各々の先端部は重なり合い、嵌合溝１１ａと嵌合溝１２ａ、嵌合溝１１ｂと嵌合溝１２ｂ、嵌合溝１１ｃと嵌合溝１２ｃ、嵌合溝１１ｄと嵌合溝１２ｄ、嵌合溝１１ｅと嵌合溝１２ｅ、嵌合溝１１ｆと嵌合溝１２ｆをそれぞれ嵌合させて、固定する。こうして、図４に示す三角柱ユニット４２、４３及び４４が形成される。そして、三角柱ユニット４２、４３及び４４を折り曲げ線１９ａ及び１９ｂで谷折りし、図５に示すように三角柱ユニット４２と三角柱ユニット４４に設けられた留め具１４を紐等で縛ることにより、三角柱ユニット４２と三角柱ユニット４４を固定する。以上の方法により、組立式椅子４０が組み立てられる。
【０００８】
請求項２に記載の組立式椅子は、請求項１に記載の組立式椅子の構成に加え、椅子の内側に形成された前記各三角柱には、前記座面片の各斜辺から各々連接された前記嵌合片の前記嵌合溝と、前記底面片の各斜辺から各々連接された前記嵌合片の前記嵌合溝との嵌合部分が退避できる凹部が形成されていることを特徴とする構成となっている。
【０００９】
この構成の組立式椅子では、請求項１に記載の発明の作用に加え、椅子の内側に形成された三角柱には、座面片の各斜辺から各々連接された嵌合片の嵌合溝と底面片から各々連接された嵌合片の嵌合溝との嵌合部分が退避できる凹部が形成されているので、各接合面を隙間なく密着することができる。
【００１０】
請求項３に記載の組立式椅子は、請求項１又は２に記載の組立式椅子の構成に加え、前記周壁部の両端部を形成する各前記周壁片において、前記第一の支持片に連接する一端部の近傍には留め具がそれぞれ設けられ、組立時に対向する当該留め具を紐等で縛ることにより、対向する前記周壁片が固定されることを特徴とする構成となっている。
【００１１】
この構成の組立式椅子では、請求項１又は２に記載の発明の作用に加え、折り曲げられて対向する周壁片に設けられた留め具を紐等で互いに縛ることにより、周壁片同士をしっかり固定することができる。
【００１２】
【発明の実施の形態】
以下、本発明の一実施の形態について、図面に基づいて説明する。図面において、図１は組立式椅子４０の展開図であり、図２は組立式椅子４０の一部を展開した斜視図である。図３は組立式椅子４０の一部を展開した斜視図であり、図４は組立式椅子４０を三角柱ユニット４２、４３及び４４に展開した斜視図である。図５は本発明の組立式椅子４０の実施例を示す斜視図である。図１に示す型紙１は、シート材を周知のトムソン型抜き法で加工して形成される。トムソン型抜き法は、プレス金型に比べてコストが低く、型の製作日数も短い上に量産が可能である。
【００１３】
まず、図１に示す周壁片２ａ、２ｂ及び２ｃについて説明する。周壁片２ａ、２ｂ及び２ｃはそれぞれが縦４０ｃｍ、横３３ｃｍの方形の一種である長方形の部材であり、図５に示す三角柱状の組立式椅子４０の外側周壁部を構成する。各周壁片２ａ、２ｂ及び２ｃは長辺を接して各々横一列に連接されており、それらが各連接部分（折り曲げ線１９ａ、１９ｂ）において折り曲げ可能となっている。
【００１４】
次に、図１に示す座面片５ａ、５ｂ及び５ｃについて説明する。座面片５ａ、５ｂ及び５ｃはそれぞれが高さ９．５ｃｍ、底辺３３ｃｍの略三角形であり、図５の組立式椅子４０の座面部を構成する。座面片５ａ、５ｂ及び５ｃは、周壁片２ａ、２ｂ及び２ｃの連接方向に平行な各上辺（短辺）に各々連接されている。そして、それらは各連接部分（折り曲げ線１５ａ）において折り曲げ可能となっている。
【００１５】
次に、図１に示す底面片６ａ、６ｂ及び６ｃについて説明する。底面片６ａ、６ｂ及び６ｃはそれぞれが高さ９．５ｃｍ、底辺３３ｃｍの略三角形であり、図５の組立式椅子４０の底面部を構成する。底面片６ａ、６ｂ及び６ｃは周壁片２ａ、２ｂ及び２ｃの連接する方向に平行な各下辺（短辺）に各々連接されている。そして、それらは各連接部分（折り曲げ線１５ｂ）において折り曲げ可能となっている。
【００１６】
次に、図１に示す嵌合片７ａ、７ｂ、７ｃ、７ｄ、７ｅ及び７ｆについて説明する。嵌合片７ａ、７ｂ、７ｃ、７ｄ、７ｅ及び７ｆは略三角形であり、周壁片２ａ、２ｂ及び２ｃの各上辺に連接された座面片５ａ、５ｂ及び５ｃの各斜辺に各々連接されている。そして、各連接部分（折り曲げ線２３〜２８）において折り曲げ可能となっている。
【００１７】
次に、図１に示す嵌合片８ａ、８ｂ、８ｃ、８ｄ、８ｅ及び８ｆについて説明する。嵌合片８ａ、８ｂ、８ｃ、８ｄ、８ｅ及び８ｆは略三角形であり、周壁片２ａ、２ｂ及び２ｃの各下辺に連接された底面片６ａ、６ｂ及び６ｃの各斜辺に各々連接されている。そして、それらが各連接部分（折り曲げ線２９〜３４）において折り曲げ可能となっている。
【００１８】
また、嵌合片７ａ、７ｂ、７ｃ、７ｄ、７ｅ及び７ｆと嵌合片８ａ、８ｂ、８ｃ、８ｄ、８ｅ及び８ｆは互いに折り曲げられた時に、それぞれの先端部が互いに対向する位置にある。後述するように、これらは組立時に組立式椅子４０の内側に互いに折り曲げられ、各々対向する嵌合片７ａと嵌合片８ａ、嵌合片７ｂと嵌合片８ｂ、嵌合片７ｃと嵌合片８ｃ、嵌合片７ｄと嵌合片８ｄ、嵌合片７ｅと嵌合片８ｅ、嵌合片７ｆと嵌合片８ｆは、各先端部が互いに重なるようになっている。
【００１９】
さらに、嵌合片７ａ、７ｂ、７ｃ、７ｄ、７ｅ及び７ｆと嵌合片８ａ、８ｂ、８ｃ、８ｄ、８ｅ及び８ｆの各先端部には、折り曲げられて対向する各先端部が重なって、嵌合するためのスリット状の嵌合する溝が設けられている。嵌合片７ａ、７ｂ、７ｃ、７ｄ、７ｅ及び７ｆの先端部には嵌合溝１１ａ、１１ｂ、１１ｃ、１１ｄ、１１ｅ及び１１ｆが、嵌合片８ａ、８ｂ、８ｃ、８ｄ、８ｅ及び８ｆの先端部には嵌合溝１２ａ、１２ｂ、１２ｃ、１２ｄ、１２ｅ及び１２ｆがそれぞれ設けられている。これらは、組立時に嵌合溝１１ａと嵌合溝１２ａ、嵌合溝１１ｂと嵌合溝１２ｂ、嵌合溝１１ｃと嵌合溝１２ｃ、嵌合溝１１ｄと嵌合溝１２ｄ、嵌合溝１１ｅと嵌合溝１２ｅ、嵌合溝１１ｆと嵌合溝１２ｆが互いにそれぞれ対向し、咬み合うようになっている。
【００２０】
次に、第１の支持片３ａ及び３ｄ、第２の支持片３ｂ及び３ｅ、第３の支持片３ｃ及び３ｆについて説明する。第１の支持片３ａ及び３ｄと第２の支持片３ｂ及び３ｅは縦４０ｃｍ、横１８ｃｍの略方形である。第３の支持片３ｃ及び３ｃは縦４０ｃｍ、横１８ｃｍの略方形である。まず、第１の支持片３ａは、周壁片２ａ、２ｂ及び２ｃの連接方向の一端部である周壁片２ａに連接されている。さらに、第２の支持片３ｂは、第１の支持片３ａの周壁片２ａと連接する一端部と反対側の他端部に連接されている。さらに、第３の支持片３ｃは、第２の支持片３ｂの第１の支持片３ａと連接する一端部と反対側の他端部に連接されている。そして各連接部分（折り曲げ線１６、１７ａ、１８）において折り曲げ可能となっている。第１の支持片３ａ、第２の支持片３ｂ、第３の支持片３ｃは、椅子の内側に折り曲げられて三角柱を形成することにより、組立式椅子４０の中心軸となる嵌合片７ａと７ｂ及び嵌合片８ａと８ｂを内側から補強する補強部材となる。
【００２１】
また、周壁片２ａとは反対側の他端部である周壁片２ｃには上記と同様に、第１の支持片３ｄが連接されている。さらに、第２の支持片３ｅは、第１の支持片３ｄの周壁片２ｃと連接する一端部と反対側の他端部に連接されている。さらに、第３の支持片３ｆは、第２の支持片３ｅの第１の支持片３ｄと連接する一端部と反対側の他端部に連接されている。そして各連接部分（折り曲げ線２０、２１ａ、２２）において折り曲げ可能となっている。第１の支持片３ｄ、第２の支持片３ｅ、第３の支持片３ｆは、椅子の内側に折り曲げられて、同じく図２に示す三角柱を形成することにより、組立式椅子４０の中心軸となる嵌合片７ｅと７ｆ、嵌合片８ｅと８ｆを内側から補強する補強部材となる。
【００２２】
次に、凹部片９ａ及び９ｂについて説明する。凹部片９ａ及び９ｂは、第１の支持片３ａ及び３ｄ、第２の支持片３ｂ及び３ｅ、第３の支持片３ｃ及び３ｆが折り曲げられ、組立式椅子４０の内側にできる三角柱を形成し、凹部４５及び４６を構成する。凹部４５及び４６は、嵌合溝１１ａと嵌合溝１２ａ、嵌合溝１１ｂと嵌合溝１２ｂ、嵌合溝１１ｃと嵌合溝１２ｃ、嵌合溝１１ｄと嵌合溝１２ｄ、嵌合溝１２ｅと嵌合溝１２ｅ、嵌合溝１１ｆと嵌合溝１２ｆが各々咬み合う嵌合部分を退避させることができる。まず、凹部片９ａは縦１６ｃｍ、横２２ｃｍの略方形で、周壁片２ａに連接された第１の支持片３ａとさらに連接された第２の支持片３ｂを跨ぐように、かつ中央に設けられている。また、凹部片９ａは、その中心線（折り曲げ線１７ｂ）において折り曲げ可能となっている。さらに、折り曲げ線１７ｂと直交する辺３５ａ及び３５ｂは断裁されている。また、凹部片９ｂも同様に縦１６ｃｍ、横２２ｃｍの略方形で、周壁片２ｃに連接された第１の支持片３ｄとさらに連接された第２の支持片３ｅとを跨ぐように、かつ中央に設けられている。また、凹部片９ｂは、その中心線（折り曲げ線２１ｂ）において折り曲げ可能となっている。さらに、折り曲げ線２１ｂと直交する辺３７ａ及び３７ｂは断裁されている。
【００２３】
次に周壁片２ａ及び２ｃに設けられる嵌合孔１３ａ、１３ｂ、１３ｃ、１３ｄ及び留め具１４について説明する。嵌合孔１３ａ及び１３ｂは、周壁部の両端の一端部を形成する周壁片２ａにおいて、第１の支持片３ａに連接する一端部の近傍の上下部分に各々設けられている。また、嵌合孔１３ｃ及び１３ｄは、周壁部の両端の他端部を形成する周壁片２ｃにおいて、第１の支持片３ｄに連接する一端部の近傍の上下部分に各々設けられている。これらは、型紙１の組立時に、周壁片２ａと２ｃとが折り曲げ線１９ａ及び１９ｂにおいて互いに折り曲げられ、対向する各端部を固定するための留め具１４を取り付ける箇所となる。
【００２４】
さらに、周壁片２ａに設けられた嵌合孔１３ａ及び１３ｂには、図２に示す略円形状の留め具１４を、周壁片２ａの表面及び裏面から周壁片２ａを挟み込むように当接し、それぞれの中心部において金具１０を取り付けて固定する。また、周壁片２ｃに設けられた嵌合孔１３ｃ及び１３ｄにも、同様に略円形状の留め具１４を、周壁片２ｃの表面及び裏面から周壁片２ｃを挟み込むように当接し、それぞれの中心部に金具１０を取り付けて固定する。これらは後述するように、組立時に周壁片２ａ、２ｃの表側に固定されている留め具１４を紐等で互いを縛ることにより、周壁片２ａ及び２ｃが固定されるようになっている。
【００２５】
以下、図１に示す型紙１による組立式椅子４０の組立方法について図１、図２、図３、図４及び図５を用いて説明する。まず、第１の支持片３ａと第２の支持片３ｂの連接する折り曲げ線１７ａを谷折りする。その際に、図２に示すように、凹部片９ａの折り曲げ線１７ｂは山折りに、折り曲げ線３６ａと３６ｂは谷折りし、凹部片９ａを山形に立てて、凹部４５を形成する。次いで、第１の支持片３ａを折り曲げ線１８のところで谷折りし、さらに第３の支持片３ｃを折り曲げ線１６のところで谷折りする。さらに、第３の支持片３ｃを周壁片２ａに当接させることにより、第１の支持片３ａと第２の支持片３ｂと第３の支持片３ｃとを各側面とした三角柱が形成される。この三角柱の第１の支持片３ａと第２の支持片３ｂとの略中央には、凹部片９ａからなる凹部４５が形成される。
【００２６】
また、同様にして、第１の支持片３ｄと第２の支持片３ｄとの連接する折り曲げ線２１ａを谷折りする。その際に、凹部片９ｂの折り曲げ線２１ｂは山折りに、折り曲げ線３８ｃと３８ｄは谷折りし、凹部片９ｂを山形に立てる。次いで、第１の支持片３ｄを折り曲げ線２０のところで谷折りし、さらに第３の支持片３ｃを折り曲げ線２２のところで谷折りする。さらに、第３の支持片３ｆを周壁片２ｃに当接させることにより、図２に示すように第１の支持片３ｄと第２の支持片３ｅと第３の支持片３ｆとを各側面とした三角柱が形成される。この三角柱の第１の支持片３ｄと第２の支持片３ｅとの略中央には、凹部片９ｂからなる凹部４６が形成される。
【００２７】
次に、型紙１の周壁片２ａ、２ｂ及び２ｃの各上辺に各々連接された座面片５ａ、５ｂ及び５ｃを折り曲げ線１５ａにおいて、周壁片２ａ、２ｂ及び２ｃに対して略直角方向にそれぞれ谷折りして座面を形成する。また底面片６ａ、６ｂ及び６ｃも同様に、周壁片２ａ、２ｂ及び２ｃに対して略直角方向にそれぞれ谷折りして底面を形成する。
【００２８】
次に、座面片５ａ、５ｂ及び５ｃの各斜辺に連接された嵌合片７ａ、７ｂ、７ｃ、７ｄ、７ｅ及び７ｆを、折り曲げ線２３〜２８において、周壁片２ａ、２ｂ及び２ｃの面と平行になるように谷折りする。同様に、底面片６ａ、６ｂ及び６ｃの各斜辺に連接された嵌合片８ａ、８ｂ、８ｃ、８ｄ、８ｅ及び８ｆを、折り曲げ線２９〜３４において、周壁片２ａ、２ｂ及び２ｃの面と平行になるように谷折りする。そして、嵌合片７ａと嵌合片８ａ、嵌合片７ｂと嵌合片８ｂ、嵌合片７ｃと嵌合片８ｃ、嵌合片７ｄと嵌合片８ｄ、嵌合片７ｅと嵌合片８ｅ、嵌合片７ｆと嵌合片８ｆは各々互いに対向し、それぞれの先端部が重なるようになっている。そこで、図２及び図３に示すように、嵌合溝１１ａと嵌合溝１２ａ、嵌合溝１１ｂと嵌合溝１２ｂ、嵌合溝１１ｃと嵌合溝１２ｃ、嵌合溝１１ｄと嵌合溝１２ｄ、嵌合溝１２ｅと嵌合溝１２ｅ、嵌合溝１１ｆと嵌合溝１２ｆをそれぞれ互いに差し込むようにして嵌合させる。
【００２９】
こうして、図４に示すように、組立式椅子４０を構成する三角柱ユニット４２、４３及び４４が形成される。三角柱ユニット４２の内側には、第１の支持片３ａ、第２の支持片３ｂ及び第３の支持片３ｃによって形成された三角柱が形成されている。これらは、嵌合して固定された嵌合片７ａと８ａ及び嵌合片７ｂと８ｂを内側から補強している。さらに、この三角柱には嵌合溝１１ａと嵌合溝１２ａ、嵌合溝１１ｂと嵌合溝１２ｂが嵌合する嵌合部分に凹部片９ａから形成された凹部４５があり、嵌合する部分を凹部４５に退避することができる。また、三角柱ユニット４４の内側にも同様に、第１の支持片３ｄ、第２の支持片３ｅ及び第３の支持片３ｆによって形成された図２に示す三角柱が形成されている。これらは、嵌合して固定された嵌合片７ｅと８ｅ、嵌合片７ｆと８ｆを内側から補強している。さらに、この三角柱には嵌合溝１１ｅと嵌合溝１２ｅ、嵌合溝１１ｆと嵌合溝１２ｆが嵌合する嵌合部分に凹部片９ｂから形成された凹部４６があり、嵌合する部分を凹部４６に退避することができる。
【００３０】
次に、図４に示す組立式椅子４０を構成する三角柱ユニット４２、４３及び４４を、それぞれ連接する部分（折り曲げ線１９ａ、１９ｂ）において谷折りする。すると、図４に示すように、嵌合溝１１ａと嵌合溝１２ａ、嵌合溝１１ｂと嵌合溝１２ｂ、嵌合溝１１ｅと嵌合溝１２ｅ、嵌合溝１１ｆと嵌合溝１２ｆが各々嵌合する部分はそれぞれ凹部４５及び４６に退避されるので、図５に示すように、三角柱ユニット４２、４３及び４４は互いに隙間なく面接合する。さらに、接合した三角柱ユニット４２、４３及び４４は互いに分離しないように、図５に示す周壁片２ａの上下部分に取り付けた留め具１４と、互いに対向する三角柱ユニット４４の周壁片２ｃの上下部分に取り付けた留め具１４を、紐等で互いを縛ることにより、三角柱ユニット４２と４４が固定される。こうして、組立式椅子４０が完成する。
【００３１】
以上の手順により組み立てられた組立式椅子４０は、図５に示すように、外皮で被われている一体構造、即ちモノコック構造となっている。モノコック構造は、応力外皮構造ともいわれ、形をつくるのにどうしても必要な外側の周壁面に必要最小限の補強を施すことにより、強度剛性を持たせることができる。よって、外力をモノコック構造体全体に分散することができるので、強くて丈夫な構造体を形成することができる。モノコック構造である組立式椅子４０の外皮部分は周壁片２ａ、２ｂ及び２ｃと、座面片５ａ、５ｂ及び５ｃと、底面片６ａ、６ｂ及び６ｃとから構成されている。そして外皮を補強する部材として、嵌合片７ａ、７ｂ、７ｃ、７ｅ及び７ｆと、嵌合片８ａ、８ｂ、８ｃ、８ｄ及び８ｆと、第１の支持片３ａ及び３ｄと、第２の支持片３ｂ及び３ｅと、第３の支持片３ｃ及び３ｆとから構成されている。よって、組立式椅子４０の座面にかかる外力は、組立式椅子４０全体に分散されるので、組立式椅子４０は部分的にひずみやくるい等を起こしにくい構造となっている。
【００３２】
本発明の組立式椅子４０は、本実施例で記載した寸法以外のものであってよく、形状は四角柱、五角柱等であってもよい。シート材の材質も切断が可能で丈夫なものならば何でもよい。また、組立中に形成される図４に示す三角柱ユニット４２と三角柱ユニット４４の固定方法であるが、本実施の組立式椅子４０では、嵌合孔１３ａ、１３ｂ、１３ｃ及び１３ｄに留め具１４を金具１０で取り付け、互いを紐等で縛ることにより固定したが、面ファスナ、粘着テープを使用する等、これ以外の方法でも変更可能である。また、本実施例では留め具１４は各周壁片２ａ及び２ｃに上下部に１個ずつ取り付けたが、個数は限定しない。また、型紙１の表面に文字、絵柄等の印刷を施してもよい。また、組立式椅子４０が塗れても、強度を損なわないように、型紙１の表面に防水加工を施すことも可能である。
【００３３】
【発明の効果】
上記の説明から明らかなように、請求項１に記載の組立式椅子によれば、一枚のシート材を用いているので非常に軽く、組立前は嵩張らないので持ち運びに便利である。また組立式椅子全体が外皮で被われているモノコック構造であるので、外力に対して非常に丈夫である。また、組立式椅子は底面も座面と同様に形成されているので、反転しても座ることが可能である。
【００３４】
請求項２に記載の組立式椅子によれば、請求項１に記載の発明の効果に加え、組立式椅子内部の各三角柱ユニットには嵌合片の嵌合溝が嵌合する嵌合部分が退避できる凹部が形成されているので、組立時に組立式椅子の内側の接合面を密着させることができる。
【００３５】
請求項３に記載の組立式椅子によれば、請求項１又は２に記載の発明の効果に加え、周壁部の両端部を形成する各周壁片には、留め具がそれぞれ設けられ、組立時に互いに対向した留め具を紐等で縛って固定するので、シート材を損傷することなく、紐をほどくだけで容易に解体することができる。
【図面の簡単な説明】
【図１】図１は組立式椅子４０の展開図である。
【図２】図２は組立式椅子４０の一部を展開した斜視図である。
【図３】図３は組立式椅子４０の一部を展開した斜視図である。
【図４】図４は組立式椅子４０を三角柱ユニット４２、４３及び４４に展開した斜視図である。
【図５】図５は組立式椅子４０の斜視図である。
【符号の説明】
１                型紙
２                周壁片
３ａ、３ｄ        第１の支持片
３ｂ、３ｅ        第２の支持片
３ｃ、３ｆ        第３の支持片
５                座面片
６                底面片
７、８            嵌合片
９                凹部片
１０              金具
１１、１２        嵌合溝
１３              嵌合孔
１４              留め具
４０              組立式椅子
４２、４３、４４  三角柱ユニット
４５、４６        凹部
【図１】
2004223068.tif 000003
【図２】
2004223068.tif 000004
【図３】
2004223068.tif 000005
【図４】
2004223068.tif 000006
【図５】
2004223068.tif 000007